(57)【要約】【課題】人体検知センサの検知範囲を容易に規定することができる人体検知センサの検知範囲規定部材および便器を提供する。【解決手段】水回り空間に設けられ、人体検知を行う赤外線センサ本体２１を有する人体検知センサ２の検知範囲を規定する人体検知センサの検知範囲規定部材１Ａにおいて、赤外線の透過を低下させる材料で形成され、赤外線センサ本体２１の少なくとも一部を覆うように設けられている。人体検知センサの検知範囲規定部材１Ａは、赤外線センサ本体２１のセンサ面（検知面）２１１側に設置可能なシート部材８である。【選択図】図４
2019174157.tif 000002
【特許請求の範囲】
【請求項１】
水回り空間に設けられ、人体検知を行う赤外線センサ本体を有する人体検知センサの検知範囲を規定する人体検知センサの検知範囲規定部材において、
赤外線の透過を低下させる材料で形成され、前記赤外線センサ本体の少なくとも一部を覆うように設けられていることを特徴とする人体検知センサの検知範囲規定部材。
【請求項２】
前記人体検知センサの検知範囲規定部材は、前記赤外線センサ本体の検知面側に設置可能なシート部材である請求項１に記載の人体検知センサの検知範囲規定部材。
【請求項３】
前記人体検知センサは、便器に設けられていて、
前記シート部材は、前記便器に形成された凹部にはめ込み可能に構成されている請求項２に記載の人体検知センサの検知範囲規定部材。
【請求項４】
前記人体検知センサの検知範囲規定部材は、前記赤外線センサ本体の検知面側を覆うように前記赤外線センサ本体に着脱可能なカバー部材である請求項１に記載の人体検知センサの検知範囲規定部材。
【請求項５】
前記カバー部材は、前記人体検知センサと係合可能な係合部を有している請求項４に記載の人体検知センサの検知範囲規定部材。
【請求項６】
前記人体検知センサの検知範囲規定部材は、ポリエチレンを材料として形成され、前記赤外線センサ本体の全体を覆うように設置可能に構成されている請求項１乃至５のいずれか一項に記載の人体検知センサの検知範囲規定部材。
【請求項７】
人体検知を行う赤外線センサ本体を有する人体検知センサと、
前記人体検知センサの検知範囲を規定する人体検知センサの検知範囲規定部材と、を有し、
前記人体検知センサの検知範囲規定部材は、赤外線の透過を低下させる材料で形成され、前記赤外線センサ本体の少なくとも一部を覆うように設けられていることを特徴とする便器。
【発明の詳細な説明】
【技術分野】
【０００１】
本発明は、人体検知センサの検知範囲規定部材および便器に関する。
【背景技術】
【０００２】
便器や洗面台などが設置された水回り空間に人体検知センサが設けられ、この人体検知センサが水回り空間に入ってきた使用者を検知すると、便器の便蓋が開いたり、照明が点灯したりするシステムが知られている（例えば、特許文献１参照）。
【先行技術文献】
【特許文献】
【０００３】
【特許文献１】特開２０１７−１６９９０１号公報
【発明の概要】
【発明が解決しようとする課題】
【０００４】
しかしながら、人体検知センサが人体を検知すると便器の便蓋が開くシステムでは、使用者が洗面台を使用するために水回り空間に入ってきた場合でも、人体検知センサが使用者を検知して便器の便蓋が開いてしまうというような、不要な動作が行われることがある。このため、使用者が便器に近接した場合に便器の便蓋が開き、使用者が洗面台を使用する場合には、便蓋開けずに照明を点灯させるなど、水回り空間の形態に合わせて人体検知センサの検知範囲を個々に規定する必要がある。
しかしながら、水回り空間の形態に合わせて人体検知センサの検知範囲を規定するために、人体検知センサの仕様を個々に変更することは、人体検知センサを共通化することができないという問題がある。
【０００５】
そこで、本発明は、人体検知センサの仕様を変更せずに、人体検知センサの検知範囲を容易に規定することができる人体検知センサの検知範囲規定部材および便器を提供することを目的とする。
【課題を解決するための手段】
【０００６】
上記目的を達成するため、本発明に係る人体検知センサの検知範囲規定部材は、水回り空間に設けられ、人体検知を行う赤外線センサ本体を有する人体検知センサの検知範囲を規定する人体検知センサの検知範囲規定部材において、赤外線の透過を低下させる材料で形成され、前記赤外線センサ本体の少なくとも一部を覆うように設けられていることを特徴とする。
【０００７】
また、本発明にかかる便器は、人体検知を行う赤外線センサ本体を有する人体検知センサと、前記人体検知センサの検知範囲を規定する人体検知センサの検知範囲規定部材と、を有し、前記人体検知センサの検知範囲規定部材は、赤外線の透過を低下させる材料で形成され、前記赤外線センサ本体の少なくとも一部を覆うように設けられていることを特徴とする。
【０００８】
本発明では、赤外線の透過を低下させる材料で形成された人体検知センサの検知範囲規定部材は、赤外線センサ本体の少なくとも一部を覆うように設けるように構成されている。これにより、人体検知センサの検知範囲規定部材が設けられた部分に対応する人体検知センサが検知可能な範囲の少なくとも一部では、人体検知センサが人体を検知しない、または人体を検知しにくいようにすることができる。
このように、本発明では、人体検知センサの仕様を変更せずに人体検知センサの検知範囲を容易に規定することができる。
また、人体検知センサの検知範囲規定部材が赤外線センサ本体を覆う範囲や、人体検知センサの検知範囲規定部材の赤外線の透過率を調整することで、共通の人体検知センサを用いた場合でも、個々に人体検知センサの検知範囲を規定することができる。
また、異なる仕様の人体検知センサに対しても、同じ形態の人体検知センサの検知範囲規定部材を使用することができる。
さらに、人体検知センサそのものの仕様を変更する必要がないことにより、人体検知センサを設置する現場において、必要に応じて人体検知センサの検知範囲を容易に規定することができる。このため、既存の人体検知センサに対しても、その検知範囲を容易に規定することができる。
【０００９】
また、本発明に係る人体検知センサの検知範囲規定部材では、前記人体検知センサの検知範囲規定部材は、前記赤外線センサ本体の検知面側に設置可能なシート部材であってもよい。
このような構成とすることにより、人体検知センサの検知範囲規定部材を赤外線センサ本体と干渉させずに容易に設置することができる。また、異なる仕様の人体検知センサに対しても同じ人体検知センサの検知範囲規定部材を使用することができる。
【００１０】
また、本発明に係る人体検知センサの検知範囲規定部材では、前記人体検知センサは、便器に設けられていて、前記シート部材は、前記便器に形成された凹部にはめ込み可能に構成されていてもよい。
このような構成とすることにより、シート部材を容易に設置することができる。
【００１１】
また、本発明に係る人体検知センサの検知範囲規定部材では、前記人体検知センサの検知範囲規定部材は、前記赤外線センサ本体の検知面側を覆うように前記赤外線センサ本体に着脱可能なカバー部材であってもよい。
このような構成とすることにより、人体検知センサの検知範囲規定部材を赤外線センサ本体に容易に設置することができる。
【００１２】
また、本発明に係る人体検知センサの検知範囲規定部材では、前記カバー部材は、前記人体検知センサと係合可能な係合部を有していてもよい。
このような構成とすることにより、カバー部材を赤外線センサ本体に確実に設置することができる。
【００１３】
また、本発明に係る人体検知センサの検知範囲規定部材では、前記人体検知センサの検知範囲規定部材は、ポリエチレンを材料として形成され、前記赤外線センサ本体の全体を覆うように設置可能に構成されていてもよい。
このような構成とすることにより、赤外線センサ本体の検知性能を全体的に減衰させることができ、赤外線センサ本体の検知可能な赤外線センサ本体からの距離を全体的に短くすることができる。
【発明の効果】
【００１４】
本発明によれば、人体検知センサの検知範囲を容易に規定することができる。
【図面の簡単な説明】
【００１５】
【図１】本発明の第１実施形態による便器の一例を示す斜視図である。
【図２】トイレ空間の一例の平面図である。
【図３】図１のＡ部分拡大図である。
【図４】本体部、人体検知センサおよびシート部材を示す斜視図である。
【図５】本体部および人体検知センサを示す斜視図である。
【図６】人体検知センサの側面図である。
【図７】人体検知センサの検知範囲を示す図である。
【図８】本発明の第２実施形態による本体部、人体検知センサおよびカバー部材部材を示す斜視図である。
【図９】人体検知センサおよびカバー部材を示す斜視図である。
【発明を実施するための形態】
【００１６】
（第１実施形態）
以下、本発明の第１実施形態による人体検知センサの検知範囲規定部材および便器について、図１−７に基づいて説明する。
図１および図２に示すように、本実施形態による人体検知センサの検知範囲規定部材１Ａは、トイレ空間１１（水回り空間、図２参照）に設けられた人体検知センサ２の検知範囲を規定するために設けられている。
図２に示すように、トイレ空間１１は、１つの小便器１２と２つの洋式便器１３が設けられている。トイレ空間１１には、外周部に壁部１４が設けられているとともに、２つの洋式便器１３を仕切る仕切り壁部１５が設けられている。
本実施形態では、２つの洋式便器１３それぞれに対して人体検知センサ２が設けられている。以下では、人体検知センサ２が設けられた洋式便器１３を便器１３と表記する。
【００１７】
図１に示すように、便器１３は、便鉢が形成された便器本体３と、便器本体３の上に設置された便座装置４と、を有している。便座装置４は、便器本体３の後方上部に設置された本体部５と、本体部５に回動可能に取り付けられた便座６と、本体部５に回動可能に取り付けられて便座６の上部を開閉する便蓋７と、を有している。
以下では、便器１３に対して便器１３を使用する使用者がいる側を前後方向の前側、使用者に対して便器１３がある側を前後方向の後側とし、前後方向に直交する水平方向を幅方向として説明する。
【００１８】
本体部５は、各種機能を有する機能部５１と、機能部５１を収容するケース５２と、を有している。
機能部５１とは、便座６を回動させるための便座回動ユニット、便蓋７を回動させるための便蓋回動ユニット、局部洗浄装置、脱臭装置などの各種機能装置および各種機能部品、これらの各種機能装置および各種機能部品を制御する制御部、これらの各種機能装置および各種機能部品に電源を供給する電源部などを示している。
人体検知センサ２は、機能部５１に設けられている。本実施形態では、制御部は人体検知センサ２が人体を検知すると、便蓋７が開いた状態（便座６の上部を開放した状態）となるよう制御する。このため、人体検知センサ２は、検知信号を制御部に通信可能に構成されている。
【００１９】
ケース５２は、機能部５１の上部に配置されるケース上板部５２１と、機能部５１の前側に配置されるケース前板部５２２と、機能部５１の後側に配置されるケース後板部５２３と、機能部５１の幅方向の両側に配置される一対のケース側板部５２４と、ケース上板部５２１の上面を覆うケースカバー板部５２５と、を有している。
ケース上板部５２１、ケース前板部５２２、ケース後板部５２３、およびケース側板部５２４は、一体に形成されている。
【００２０】
図３および図４に示すように、ケースカバー板部５２５は、ケース上板部５２１の上面の前縁部近傍を覆う第１カバー板部５３と、ケース上板部５２１の上面の前縁部近傍以外を覆う第２カバー板部５４と、第２カバー板部５４の上面の前縁部近傍を覆う第３カバー板部５５と、第３カバー板部５５の上面を覆う第４カバー板部５６（図３参照）と、を有している。第１カバー板部５３は、便蓋７が閉じた状態となると、便蓋７の下側に配置されている。図４では、第４カバー板部５６を省略している。図４に第２カバー板部５４の前縁部５４ａを示す。
ケースカバー板部５２５は、前縁部近傍が第１カバー板部５３のみで構成され、その後側が第２カバー板部５４、第３カバー板部５５および第４カバー板部５６の３重構造に構成され、さらにその後側が第２カバー板部５４のみで構成されている。
【００２１】
第２カバー板部５４の上面には、前後方向の中間部に段部５４１が形成され、段部５４１よりも前側が段部５４１よりも後側よりも低くなっている。第３カバー板部５５および第４カバー板部５６は、第２カバー板部５４における段部５４１よりも前側の部分の上側に重なって配置されている。
第４カバー板部５６は、後端部５６ａが段部５４１と対向するように配置されている。第４カバー板部５６の上面は、第２カバー板部５４の段部５４１よりも後側部分の上面と面一となっている。
【００２２】
図４および図５に示すように、人体検知センサ２は、機能部５１の前部上方で幅方向の略中央に設けられている。人体検知センサ２は、第２カバー板部５４の段部５４１の下側に配置されている。
ケース５２には、人体検知センサ２の上部となる位置にケース上板部５２１およびケースカバー板部５２５を上下方向に貫通する人体検知センサ用孔部５２６が形成されている。
【００２３】
人体検知センサ用孔部５２６は、ケース上板部５２１を上下方向に貫通するケース上板孔部５７１と、第２カバー板部５４を上下方向に貫通する第２カバー板孔部５４２と、第３カバー板部５５を上下方向に貫通するとともに後側に開口する第３カバー板切り欠き部５５１と、第４カバー板部５６を上下方向に貫通するとともに後側に開口する第４カバー板切り欠き部５６１（図３参照）と、から構成されている。
【００２４】
ケース上板孔部５７１は、ケース上板部５２１の前側部分における幅方向の略中央に形成されている。
第２カバー板孔部５４２は、第２カバー板部５４の前側部分における幅方向の略中央に形成されている。第２カバー板孔部５４２は、ケース上板孔部５７１の上部に配置されている。
第３カバー板切り欠き部５５１は、第３カバー板部５５の後端部近傍における幅方向の略中央に形成されている。第３カバー板切り欠き部５５１は、第２カバー板孔部５４２の前側部分の上側に配置されている。第３カバー板切り欠き部５５１は、第２カバー板孔部５４２の前側部分とほぼ同じ大きさに形成されている。
第４カバー板切り欠き部５６１は、第４カバー板部５６の前端部近傍における幅方向の略中央に形成されている。第３カバー板切り欠き部５５１は、第３カバー板切り欠き部５５１の上側に配置されている。第３カバー板切り欠き部５５１は、第３カバー板切り欠き部５５１とほぼ同じ大きさに形成されている。
【００２５】
ケース上板孔部５７１は、第２カバー板孔部５４２よりも小さく形成されていて、その縁部が第２カバー板孔部５４２、第３カバー板切り欠き部５５１および第３カバー板切り欠き部５５１の縁部よりも内側（人体検知センサ用孔部５２６の中央に向かう側）に配置されている。
ケース上板部５２１には、ケース上板孔部５７１の外側で、第２カバー板部５４が上側に配置された際に第２カバー板孔部５４２の縁部とほぼ重なる位置に上側に突出するリブ５７２が形成されている。リブ５７２は上下方向から見た形状が環状で、ケース上板孔部５７１よりも外側に形成されている。ケース上板部５２１のうち、リブ５７２の内側でケース上板孔部５７１よりも外側となる部分をリブ内側板部５７３とする。
【００２６】
リブ内側板部５７３は、外周部よりも内側のほうが薄く形成されている。リブ内側板部５７３のうち、リブ５７２に沿った外周部分を第１リブ内側板部５７４、第１リブ内側板部５７４の内側でケース上板孔部５７１の縁部に沿った内側部分を第２リブ内側板部５７５とする。
第２リブ内側板部５７５は、第１リブ内側板部５７４よりも薄く形成されている。第２リブ内側板部５７５の上面は、第１リブ内側板部５７４の上面よりも下側に凹んでいる。
第２リブ内側板部５７５の前側部分には、さらに板厚を薄く形成した凹部５７６が形成されている。凹部５７６は、ケース上板孔部５７１の前側部分の縁部に沿って配置され、ケース上板孔部５７１の前側に配置される部分、およびケース上板孔部５７１の前側部分の幅方向の両側に配置される部分によって上方から見た形状がＵ字形となる形状に形成されている。
凹部５７６の縁部は、第１リブ内側板部５７４と第２リブ内側板部５７５との境界部よりも内側に配置されている。
図４に示すように、凹部５７６の内側には、人体検知センサの検知範囲規定部材１Ａを設置可能に構成されている。
【００２７】
図４−図６に示すように、人体検知センサ２は、赤外線センサの赤外線センサ本体２１と、赤外線センサ本体２１を支持するセンサ本体支持部２２と、を有している。
センサ本体支持部２２は、円柱状に形成されている。赤外線センサ本体２１は、円柱状に形成され、軸線方向の一方側の端面が外側に突出するように湾曲している。赤外線センサ本体２１の軸線方向の一方側の湾曲面をセンサ面（検知面）２１１とする。人体検知センサ２は、センサ面２１１側から人体（熱）を検知するように構成されている。
赤外線センサ本体２１は、センサ本体支持部２２の軸線方向の一方側に同軸に配列されるように連結されている。赤外線センサ本体２１は、センサ面２１１が形成されている側と反対側がセンサ本体支持部２２と接続されている。
【００２８】
図４および図５に示すように、人体検知センサ２は、機能部５１の前部上方で幅方向の略中央に設けられている。人体検知センサ２は、第２カバー板部５４の段部５４１の下側に配置されている。
機能部５１の前部上方で幅方向の略中央には、人体検知センサ２が固定されるセンサ固定部２３が設けられている。センサ固定部２３は、前側上方に開口する凹部２３１が形成され、この凹部２３１に人体検知センサ２のセンサ本体支持部２２が差し込まれて固定されるように構成されている。
センサ固定部２３に固定された人体検知センサ２は、センサ面２１１が前側上方を向いている。
【００２９】
図３に示すように、ケースカバー板部５２５には、人体検知センサ用孔部５２６を上側から閉塞可能なセンサカバー５２７が着脱可能に設けられている。
センサカバー５２７は、第２カバー板孔部５４２、第３カバー板切り欠き部５５１および第４カバー板切り欠き部５６１に対応する板状に形成され、第２カバー板孔部５４２、第３カバー板切り欠き部５５１および第４カバー板切り欠き部５６１に嵌合可能に構成されている。
センサカバー５２７は、第２カバー板孔部５４２、第３カバー板切り欠き部５５１および第４カバー板切り欠き部５６１と嵌合しても、ケース上板孔部５７１のケース上板孔部５７１（図４および図５参照）とは嵌合せず、ケース上板孔部５７１の上側に配置されている。センサカバー５２７は、赤外線を透過可能な高密度ポリエチレンなどを材料として形成されている。
【００３０】
図４に示す人体検知センサの検知範囲規定部材１Ａは、赤外線の透過率の小さいＰＥＴ（ポリエチレンテレフタレート）などをシート状に形成したシート部材８で構成されている。シート部材８は、第２リブ内側板部５７５の凹部５７６および、ケース上板孔部５７１の前側部分を被覆可能な大きさに形成されていて、第２リブ内側板部５７５の凹部５７６にはめ込まれるように構成されている。第２リブ内側板部５７５の凹部５７６にはめ込まれたシート部材８は、段差によって水平方向に移動しにくくなっている。
第２リブ内側板部５７５の凹部５７６にはめ込まれたシート部材８は、ケース上板孔部５７１の前側部分を被覆しているため、赤外線センサ本体２１の前方下側の部分の上に重なって配置されている。
シート部材８には、下側の面に第２リブ内側板部５７５の凹部５７６の底面と接着するための接着テープが設けられていてもよい。
【００３１】
上述したように、本実施形態では、シート部材８がケース上板孔部５７１の前側部分を被覆していることにより、人体検知センサ２の赤外線センサ本体２１の下側略半分は覆われている。これにより、赤外線センサ本体２１は、上側略半分のみが人体を検知し、下側略半分では人体を検知しないことになる。
このため、図７に示すように、本実施形態の人体検知センサ２の検知範囲Ｓ１は、シート部材８で赤外線センサ本体２１の下側略半分を覆っていない場合の人体検知センサの範囲Ｓ２における後側の部分となり、シート部材８で赤外線センサ本体２１の下側略半分を覆っていない場合と比べて、使用者が便器１３に近接しないと人体検知センサ２が検知しないことになる。
【００３２】
例えば、シート部材８で赤外線センサ本体２１の下側略半分を覆っていない場合の人体検知センサの検知範囲Ｓ２に便器１３が設けられた個室の外側の領域が入っていると、人体検知センサが個室の外側にいる使用者を検知してしまうが、本実施形態のようにシート部材８で赤外線センサ本体２１の下側略半分を覆うことで、人体検知センサ２の検知範囲Ｓ１を個室の内部のみに規定することができ、人体検知センサが個室の外側にいる使用者を検知してしまうことを防止することができる。
【００３３】
次に、上述した第１実施形態による人体検知センサの検知範囲規定部材および便器の作用・効果について図面を用いて説明する。
上述した第１実施形態による人体検知センサの検知範囲規定部材１Ａ（シート部材８）は、赤外線の透過を低下させる材料で形成され、赤外線センサ本体２１の少なくとも一部を覆うように設けられている。これにより、シート部材８が設けられた部分に対応する人体検知センサ２が検知可能な範囲の一部では、人体検知センサ２が人体検知を行わないようにすることができる。
このように、本実施形態では、人体検知センサ２そのものの仕様を変更せずに人体検知センサ２の検知範囲を容易に規定することができる。
また、シート部材８は人体検知センサ２と別に設けられているため、異なる仕様の人体検知センサ２に対しても、同じ形態のシート部材８を使用することができる。
さらに、人体検知センサ２そのものの仕様を変更する必要がないことにより、人体検知センサ２を設置する現場において、必要に応じて人体検知センサ２の検知範囲を容易に規定することができる。このため、既存の人体検知センサ２に対しても、その検知範囲を容易に規定することができる。
【００３４】
また、シート部材８は、人体検知センサ２と離間した位置に設けられているため、シート部材８を赤外線センサ本体２１と干渉させずに容易に設置することができる。
また、人体検知センサ２は、便器１３に設けられていて、シート部材８は、便座装置４のケース５２に形成された凹部５７６にはめ込み可能に構成されていることにより、シート部材８を容易に設置することができる。
【００３５】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図８に示すように、第２実施形態による人体検知センサの検知範囲規定部材１Ｂは、便器１３に設けられた赤外線センサ本体２１のセンサ面２１１を覆うように赤外線センサ本体２１に着脱可能なカバー部材９で構成されている。
【００３６】
図９に示すように、カバー部材９は、人体検知センサ２のセンサ本体支持部２２に取り付けられるセンサ取り付け部９１と、センサ取り付け部９１に支持され赤外線センサ本体２１を覆うカバー本体９２と、を有している。
センサ取り付け部９１は、円筒状で、内部にセンサ本体支持部２２が挿入可能な寸法に形成されている。センサ取り付け部９１の軸線方向の一方側には、カバー本体９２が接続されている。カバー本体９２は、センサ取り付け部９１の軸線方向から見ると略半円状でセンサ取り付け部９１の軸線方向の一方側に湾曲する板状に形成され、センサ取り付け部９１の軸線方向の一方側の開口の略半分を閉塞している。
本実施形態では、センサ取り付け部９１とカバー本体９２とは一体に形成され、例えば、ＡＢＳ樹脂、ポリカーボネート、アクリル樹脂などで形成されている。
【００３７】
センサ取り付け部９１の軸線方向の他方側には、周方向に９０°ずつ間隔をあけて軸線方向の他方側に開口する切り欠き部（係合部）９１１が４つ形成されている。４つの切り欠き部９１１は、同じ形状に形成されている。
人体検知センサ２のセンサ本体支持部２２における軸線方向の他方側（赤外線センサ本体２１が接続されていない側）には、径方向の外側に突出する２つの突出部２２１が互いに周方向に９０°間隔をあけた位置に形成されている。２つの突出部２２１は、同じ形状に形成されている。
センサ取り付け部９１の４つの切り欠き部９１１は、それぞれ人体検知センサ２のセンサ本体支持部２２の２つの突出部２２１と嵌合可能に構成されている。
【００３８】
カバー部材９は、人体検知センサ２に対して以下のように取り付ける。
カバー部材９のセンサ取り付け部９１の軸線方向の他方側（カバー本体９２が接続されていない側）を人体検知センサ２と同軸となる姿勢で赤外線センサ本体２１と対向させ、人体検知センサ２に移動させてセンサ取り付け部９１の内部に赤外線センサ本体２１およびセンサ本体支持部２２を挿入させる。
センサ取り付け部９１の４つの切り欠き部９１１のうちの２つにセンサ本体支持部２２の突出部２２１を挿入して切り欠き部９１１とセンサ本体支持部２２とを嵌合させる。
【００３９】
このとき、カバー部材９のカバー本体９２で赤外線センサ本体２１の表面を覆う。カバー本体９２は、赤外線センサ本体２１よりも軸線方向から見た形状が小さいため、赤外線センサ本体２１のセンサ面２１１の一部を覆うことになる。カバー本体９２は、赤外線センサ本体２１のうちの所望の位置を覆うように配置し、人体検知センサ２の検知範囲を規定する。
センサ取り付け部９１には４つの切り欠き部９１１が形成されているため、４つの切り欠き部９１１のうちの隣り合う２つの切り欠き部９１１をセンサ本体支持部２２の突出部２２１と嵌合させることができるため、カバー部材９を人体検知センサ２に対して取り付ける周方向の位置を、９０°ごとに任意の位置とすることができる。
【００４０】
第２実施形態による人体検知センサの検知範囲規定部材１Ｂおよび便器１３では、第１実施形態と同様の効果を奏する。
また、人体検知センサの検知範囲規定部材１Ｂは、赤外線センサ本体２１のセンサ面２１１を覆うように赤外線センサ本体２１に着脱可能なカバー部材９であることにより、赤外線センサ本体２１に容易に設置することができる。
また、カバー部材９は、人体検知センサ２と係合可能な係合部を有していることにより、カバー部材９を赤外線センサ本体２１に確実に設置することができる。
【００４１】
以上、本発明による人体検知センサの検知範囲規定部材および便器の実施形態について説明したが、本発明は上記の実施形態に限定されるものではなく、その趣旨を逸脱しない範囲で適宜変更可能である。
例えば、上記の第１実施形態では、人体検知センサの検知範囲規定部材１Ａは、赤外線センサ本体２１のセンサ面２１１側に設置可能なシート部材８であり、第２実施形態では、人体検知センサの検知範囲規定部材１Ｂは、赤外線センサ本体２１のセンサ面２１１を覆うように赤外線センサ本体２１に着脱可能なカバー部材９であるが、シート部材８やカバー部材９で以外に赤外線センサ本体２１を覆うことが可能な形態であればよい。
【００４２】
また、上記の第１実施形態では、シート部材８は、便座装置４のケース５２に形成された凹部５７６にはめ込み可能に構成されているが、便座装置４のケース５２に凹部５７６が形成されていなくてもよい。また、ケース５２には、凹部５７６以外の例えば、シート部材８をはさむ爪部などのシート部材８を支持する機構が設けられていてもよい。
また、上記の第２実施形態では、カバー部材９には切り欠き部９１１が設けられ、人体検知センサ２のセンサ本体支持部２２には突出部２２１が設けられ、切り欠き部９１１が突出部２２１と嵌合して係合するように構成されている。これに対し、カバー部材９に切り欠き部９１１が設けられていなくてもよいし、センサ本体支持部２２に突出部２２１が設けられていなくてもよい。また、カバー部材９は、切り欠き部９１１以外の人体検知センサ２と係合可能な係合部を有していてもよい。
【００４３】
また、上記の実施形態では、人体検知センサの検知範囲規定部材１Ａ，１Ｂは、赤外線を透過しない材料で形成され、赤外線センサ本体２１の一部を覆うように設けられているが、赤外線の透過を低下させる材料（例えば、高密度ポリエチレンなど）で形成され、赤外線センサ本体２１の全体を覆うように設けられていてもよい。このようにすることにより、人体検知センサ２の検知機能を全体的に減衰させることができ、これにより、人体検知センサ２の検知範囲を全体的に小さくすることができる。
【００４４】
また、上記の実施形態では、人体検知センサの検知範囲規定部材１Ａ，１Ｂによって、複数の便器１３が設けられたトイレ空間１１の便器１３に設けられた人体検知センサ２の検知範囲を規定しているが、便器１３や洗面台、浴槽などが設けられた水回り空間の便器１３に設けられた人体検知センサ２の検知範囲を規定するように構成されていてもよい。
また、上記の実施形態では、人体検知センサ２が人体を検知すると、便器１３の便蓋７を開放するように構成されているが、便蓋７を開放する以外に、照明を点灯したり、水回り空間の換気を行ったりするように構成されていてもよい。
【符号の説明】
【００４５】
１Ａ，１Ｂ  人体検知センサの検知範囲規定部材
２  人体検知センサ
８  シート部材
９  カバー部材
１１  トイレ空間（水回り空間）
１３  便器
２１  赤外線センサ本体
２１１  センサ面（検知面）
５７６  凹部
９１１  切り欠き部（係合部）
【図１】
2019174157.tif 000003
【図２】
2019174157.tif 000004
【図３】
2019174157.tif 000005
【図４】
2019174157.tif 000006
【図５】
2019174157.tif 000007
【図６】
2019174157.tif 000008
【図７】
2019174157.tif 000009
【図８】
2019174157.tif 000010
【図９】
2019174157.tif 000011